(57)【特許請求の範囲】
【請求項１】
開口部を有する断熱箱体と、
前記断熱箱体の前記開口部を開閉するように設けられている箱状の扉と、
を備え、
前記扉は、
前記扉の外周壁を構成する外壁部と、
前記外壁部と対向するように配置され、前記開口部側の壁部を構成する内壁部と、
前記外壁部と前記内壁部との間に配置され、前記内壁部に固定されている補強板と、
を有し、
前記内壁部は、
前記内壁部の左右の両端側のそれぞれにおいて、前記断熱箱体の前記開口部側へ膨出する膨出部と、
前記内壁部の左右の両端側に設けられた前記膨出部の間を接続する平板状に形成された平板部と、
を有し、
前記補強板は、
平板状に形成されており一方の面が前記外壁部と対向し、他方の面が前記平板部と対向している平坦部と、
前記平坦部の左右の両端から立ち上がるように折り曲げられており、前記膨出部内へ延びるように形成されている第１側板部と、
前記第１側板部の、前記平坦部とは反対側の端部から立ち上がり、前記膨出部内に位置する第２側板部と、
を有し、
前記膨出部は、
前記平板部の左右の両端側から立ち上がるように折り曲げられており、前記断熱箱体の前記開口部側へ延びるように形成されている第１側壁部と、
前記第１側壁部の、前記平板部とは反対側の端部から立ち上がるように折り曲げられ、前記外壁部と対向するように形成されている第２側壁部と、
前記第２側壁部の、前記第１側壁部とは反対側の端部から立ち上がるように折り曲げられ、前記外壁部側に延びるように形成されている第３側壁部と、
を有し、
前記補強板の前記第１側板部は、前記第１側壁部に沿って、前記第２側壁部側に延びるように形成されており、前記第２側板部は、少なくとも一部が前記第２側壁部と対向するように設けられており、
前記第２側板部には、前記補強板を貫通する複数の孔部が前記扉の上下方向に渡って形成されている冷蔵庫。
【請求項２】
開口部を有する断熱箱体と、
前記断熱箱体の前記開口部を開閉するように設けられている箱状の扉と、
を備え、
前記扉は、
前記扉の外周壁を構成する外壁部と、
前記外壁部と対向するように配置され、前記開口部側の壁部を構成する内壁部と、
前記外壁部と前記内壁部との間に配置され、前記内壁部に固定されている補強板と、
を有し、
前記内壁部は、
前記内壁部の左右の両端側のそれぞれにおいて、前記断熱箱体の前記開口部側へ膨出する膨出部と、
前記内壁部の左右の両端側に設けられた前記膨出部の間を接続する平板状に形成された平板部と、
を有し、
前記補強板は、
平板状に形成されており一方の面が前記外壁部と対向し、他方の面が前記平板部と対向している平坦部と、
前記平坦部の左右の両端から立ち上がるように折り曲げられており、前記膨出部内へ延びるように形成されている第１側板部と、
前記第１側板部の、前記平坦部とは反対側の端部から立ち上がり、前記膨出部内に位置する第２側板部と、
を有し、
前記第２側板部が、前記外壁部側に突出するように折り曲げられて山折り形状に形成されている冷蔵庫。
【請求項３】
前記扉は、前記補強板の前記第２側板部と、前記膨出部の前記第２側壁部との間が離間している請求項１に記載の冷蔵庫。
【請求項４】
前記補強板は、
前記第２側板部の、前記第１側板部とは反対側の端部から立ち上がるように折り曲げられ、前記第１側板部と対向して前記外壁部側に延びるように形成されている前方側縁部を更に有する請求項１〜３のいずれか１項に記載の冷蔵庫。
【請求項５】
開口部を有する断熱箱体と、
前記断熱箱体の前記開口部を開閉するように設けられている箱状の扉と、
を備え、
前記扉は、
前記扉の外周壁を構成する外壁部と、
前記外壁部と対向するように配置され、前記開口部側の壁部を構成する内壁部と、
前記外壁部と前記内壁部との間に配置され、前記内壁部に固定されている補強板と、
を有し、
前記内壁部は、
前記内壁部の左右の両端側のそれぞれにおいて、前記断熱箱体の前記開口部側へ膨出する膨出部と、
前記内壁部の左右の両端側に設けられた前記膨出部の間を接続する平板状に形成された平板部と、
を有し、
前記補強板は、
平板状に形成されており一方の面が前記外壁部と対向し、他方の面が前記平板部と対向している平坦部と、
前記平坦部の左右の両端から立ち上がるように折り曲げられており、前記膨出部内へ延びるように形成されている第１側板部と、
前記第１側板部の、前記平坦部とは反対側の端部から立ち上がり、前記膨出部内に位置する第２側板部と、
を有し、
前記内壁部は、
前記膨出部と前記内壁部の周縁部との間に前記断熱箱体の前記開口部側へ凹むように形成された溝部を更に有し、
前記補強板は、
前記第２側板部の、前記第１側板部とは反対側の端部から立ち上がるように折り曲げられ、前記断熱箱体の前記開口部側に延びるように形成されている後方側縁部を更に有し、
前記後方側縁部の先端部が、前記溝部に挿入されることにより前記補強板が、前記内壁部に固定されている冷蔵庫。
【発明の詳細な説明】
【技術分野】
【０００１】
本発明は、冷蔵庫、特に冷蔵庫の扉の構造に関するものである。
【背景技術】
【０００２】
従来より、冷蔵庫の設置寸法を拡大することなく、冷蔵庫の内容積を拡大する方法として、冷蔵庫の筐体の一部を構成する断熱材の厚さを薄くする方法がある。しかし、扉の強度は、扉の断熱材の厚さに依存しており、扉の断熱材の厚さを薄くしていくと、扉の強度が低下してしまう。そのため、扉の断熱材の厚さを薄くした冷蔵庫は、扉の開閉動作を繰り返す中で徐々に扉が変形していく恐れがある。扉が変形すると、冷蔵庫には扉のパッキンと冷蔵庫本体との間に隙間が生じ、庫内から庫外への冷気が漏洩し、あるいは、庫外から庫内への熱が侵入するため冷蔵庫の断熱性能を維持することができない。そのため、冷蔵庫の扉が、間隔をあけて配設される外板と内板とで構成され、これらの外板と内板との間に発泡断熱材が充填され、この発泡断熱材に金属製の補強板を埋没させて構成された冷蔵庫が提案されている（例えば、特許文献１参照）。
【先行技術文献】
【特許文献】
【０００３】
【特許文献１】特開平９−１７０８７０号公報
【発明の概要】
【発明が解決しようとする課題】
【０００４】
従来の冷蔵庫では、金属製の補強板の足部と外板のフランジ部とを接触させている構造である。しかし、補強板は、補強板と外板との接触面積が少ないために扉の変形を防ぐ補強としての効果をあまり発揮することができない。そこで、冷蔵庫の扉に必要な強度を保持するために、冷蔵庫の扉の中に設置された金属製の補強板の厚みを変えることが考えられる。しかし、金属製の補強板の厚みが増えれば冷蔵庫の扉が重くなり、冷蔵庫本体のヒンジに変形又は座折が生じる場合がある。さらに、冷蔵庫の扉の重さにより、製造時の扉の組み付けにおいて作業者への負担が増大する。【０００５】
本発明は、上記のような課題を解決するためになされたもので、冷蔵庫の断熱材の構造を薄くしても、扉の内部へ設置する補強板の厚みを増やすことなく、扉の強度を保持した冷蔵庫を提供することを目的とする。
【課題を解決するための手段】
【０００６】
本発明に係る冷蔵庫は、開口部を有する断熱箱体と、断熱箱体の開口部を開閉するように設けられている箱状の扉と、を備え、扉は、扉の外周壁を構成する外壁部と、外壁部と対向するように配置され、開口部側の壁部を構成する内壁部と、外壁部と内壁部との間に配置され、内壁部に固定されている補強板と、を有し、内壁部は、内壁部の左右の両端側のそれぞれにおいて、断熱箱体の開口部側へ膨出する膨出部と、内壁部の左右の両端側に設けられた膨出部の間を接続する平板状に形成された平板部と、を有し、補強板は、平板状に形成されており一方の面が外壁部と対向し、他方の面が平板部と対向している平坦部と、平坦部の左右の両端から立ち上がるように折り曲げられており、膨出部内へ延びるように形成されている第１側板部と、第１側板部の、平坦部とは反対側の端部から立ち上がり、膨出部内に位置する第２側板部と、を有し、膨出部は、平板部の左右の両端側から立ち上がるように折り曲げられており、断熱箱体の開口部側へ延びるように形成されている第１側壁部と、第１側壁部の、平板部とは反対側の端部から立ち上がるように折り曲げられ、外壁部と対向するように形成されている第２側壁部と、第２側壁部の、第１側壁部とは反対側の端部から立ち上がるように折り曲げられ、外壁部側に延びるように形成されている第３側壁部と、を有し、補強板の第１側板部は、第１側壁部に沿って、第２側壁部側に延びるように形成されており、第２側板部は、少なくとも一部が第２側壁部と対向するように設けられており、第２側板部には、補強板を貫通する複数の孔部が扉の上下方向に渡って形成されているものである。
【発明の効果】
【０００７】
本発明によれば、扉の内壁部が膨出部を有し、補強板が、平坦部の左右の両端から立ち上がるように折り曲げられて膨出部内へ延びるように形成されている第１側板部と、第１側板部の平坦部とは反対側の端部から立ち上がり、膨出部内に位置する第２側板部と、を有する。冷蔵庫は、補強板が、膨出部に収まりよく収納された第１側板部と第２側板部とを有することで、扉の奥行き方向に複数の折り曲げられた形状を有しており、この折り曲げられた形状を有することで、扉の強度を向上させることができる。そのため、扉の断熱材を薄くしても扉の強度が低下しない冷蔵庫を得ることができる。
【図面の簡単な説明】
【０００８】
【図１】本発明の実施の形態１に係る冷蔵庫の斜視図である。
【図２】本発明の実施の形態１に係る冷蔵庫に用いられる冷蔵室扉の分解図である。
【図３】図１に示す冷蔵室扉のＡ−Ａ線断面図である。
【図４】本発明の実施の形態１に係る冷蔵庫の冷蔵室扉に用いられる補強板の正面図である。
【図５】図４に示す補強板のＣ−Ｃ線断面図である。
【図６】図３に示す冷蔵室扉のＢ部の概略拡大図である。
【図７】冷蔵庫の扉を開放する際に、冷蔵室扉にかかる力の方向を示す図である。
【図８】補強板を固定する力の方向を示した比較図である。
【図９】本発明の実施の形態２に係る冷蔵庫の冷蔵室扉の部分断面図である。
【図１０】本発明の実施の形態３に係る冷蔵庫の冷蔵室扉の部分断面図である。
【図１１】本発明の実施の形態４に係る冷蔵庫の冷蔵室扉の部分断面図である。
【発明を実施するための形態】
【０００９】
実施の形態１．
図１は、本発明の実施の形態１に係る冷蔵庫の斜視図である。図１に示すＸ軸は、冷蔵庫１の幅方向を示し、Ｙ軸は冷蔵庫１の奥行方向を示し、Ｚ軸は冷蔵庫１の上下方向を示すものである。より詳細には、Ｘ軸においてＸ１側を左側、Ｘ２側を右側、Ｙ軸においてＹ１側を前側、Ｙ２側を後側、Ｚ軸においてＺ１側を上側、Ｚ２側を下側として冷蔵庫１を説明する。また、明細書中における各構成部材同士の位置関係（例えば、上下関係等）は、原則として、冷蔵庫１を使用可能な状態に設置したときのものである。なお、下記の説明では、冷蔵庫１の幅方向（Ｘ軸方向）、奥行方向（Ｙ軸方向）、上下方向（Ｚ軸方向）は、冷蔵室扉９の各方向と一致するものとする。
【００１０】
図１に示す冷蔵庫１は、間冷式の冷蔵庫であり、鋼板製の外箱および樹脂製の内箱から構成される開口部を有する断熱箱体２を備える。断熱箱体２は、外箱と内箱との間に断熱材が発泡充填されて構成される。また、断熱箱体２の内部の収容空間は、複数の貯蔵室に区分けされており、図１に記載のように冷蔵室３、製氷室４、切替室５、冷凍室６および野菜室７の５種の貯蔵室が形成されている。冷蔵室３、製氷室４、切替室５、冷凍室６および野菜室７は、それぞれ仕切部材によって仕切られて、断熱されている。なお、各貯蔵室の位置は任意であり、例えば冷凍室６の位置に野菜室７が配置されてもよく、野菜室７の位置に冷凍室６が設けられてもよい。また、冷蔵庫１は、冷蔵庫１が備える貯蔵室の種類および数の構成は、これらに限定されるものではなく、１以上の貯蔵室を備えていればよい。
【００１１】
各貯蔵室の内部は、収納する食品及び用途によって異なる温度帯に設定されている。冷蔵室３は、冷蔵温度帯（例えば、約３〜５℃）に設定され、食品などの被冷却物を収納する貯蔵室である。製氷室４は、室内に製氷機が設けられ、その製氷機によって製造された氷を保存する貯蔵室である。切替室５は、用途に応じて温度帯を切り換えることができる貯蔵室である。冷凍室６は、０℃未満の冷凍温度帯（例えば、−１８℃以下）に設定され、貯蔵品を冷凍し収納する貯蔵室である。野菜室７は、冷蔵室３よりも設定温度が高い冷蔵温度帯（例えば、約３〜７℃）に設定され、特に野菜を冷蔵するのに適している貯蔵室である。
【００１２】
冷蔵庫１は、断熱箱体２の開口部を開閉するように設けられている箱状の扉を有している。具体的には、冷蔵室３、製氷室４、切替室５、冷凍室６および野菜室７の各貯蔵室において、それぞれ冷蔵室扉８および冷蔵室扉９、製氷室扉１０、切替室扉１１、冷凍室扉１２ならびに野菜室扉１３が、各貯蔵室の開口部を開閉するように設けられている。これらの扉を開閉することで冷蔵室３、製氷室４、切替室５、冷凍室６および野菜室７の各貯蔵室は外部空間に開放され又は外部空間と遮断される。冷蔵室扉８および冷蔵室扉９は、観音開き式の回転式扉であり、製氷室扉１０、切替室扉１１、冷凍室扉１２および野菜室扉１３は引出し式の扉である。なお、冷蔵室３の扉は、観音開き式の扉ではなく、１枚式の回転式扉でもよい。
【００１３】
冷蔵室扉８および冷蔵室扉９について更に詳細に説明する。断熱箱体２には、冷蔵室扉８を開閉自在に軸支するヒンジ１４が設けられており、このヒンジ１４によって、断熱箱体２と冷蔵室扉８とが接続されている。また、断熱箱体２には、冷蔵室扉９を開閉自在に軸支するヒンジ１５が設けられており、このヒンジ１５によって、断熱箱体２と冷蔵室扉９とが接続されている。冷蔵室扉８及び冷蔵室扉９は、冷蔵室扉８及び冷蔵室扉９の下部に設けられたハンドル１６を引く、又は押すことにより、冷蔵室扉８及び冷蔵室扉９を開閉することができる。
【００１４】
図２は、本発明の実施の形態１に係る冷蔵庫に用いられる冷蔵室扉の分解図である。図３は、図１に示す冷蔵室扉のＡ−Ａ線断面図である。図２及び図３を用いて冷蔵室３の扉を構成する冷蔵室扉９の構造について説明する。なお、冷蔵室扉８の基本的な構造は冷蔵室扉９と同じであり、冷蔵室扉９の説明は、冷蔵室扉８にも該当するため、冷蔵室扉８についての説明を省略する。冷蔵室扉９は、箱状の扉であり、冷蔵室扉９の外周壁を構成する外壁部１８と、外壁部１８と対向するように配置され、断熱箱体２の開口部側の壁部を構成する内壁部１９と、を有している。また、冷蔵室扉９は、外壁部１８と内壁部１９との間に配置され、内壁部１９に固定されている補強板２０を有している。
【００１５】
外壁部１８は、外枠材１８ｂと、強化ガラス板１８ａとを有する。外枠材１８ｂは、樹脂製の枠であり、冷蔵室扉９の正面側から見ると矩形の枠として形成されており、冷蔵室扉９の前後方向（Ｙ軸方向）に厚みを有し、冷蔵室扉９の上下左右の側壁を形成するものである。強化ガラス板１８ａは、平板状に形成され、例えば、熱強化処理、あるいは、ケミカル強化処理などが施され、傷や衝撃に対しての強化が施されているガラス板材である。強化ガラス板１８ａには、意匠を施すためにラミネート加工が施されていてもよい。強化ガラス板１８ａは、外枠材１８ｂに、例えば両面テープを用いて張り付けられて固定されている。なお、外壁部１８は、冷蔵室扉９の外周壁を構成するものであればよく、必ずしも上記のように外枠材１８ｂと、強化ガラス板１８ａとから構成されているものでなくてもよい。例えば、外壁部１８は、冷蔵室扉の左右の側壁部もガラス材で構成されるように、強化ガラス板１８ａの左右の縁部に曲げ加工が施されており、強化ガラス板１８ａの上縁と下縁とに樹脂部材の上枠と下枠が取り付けられているような構成であってもよい。あるいは、外壁部１８は、鋼板製の板金の左右の縁部に曲げ加工が施されており、板金の上下方向から樹脂製の枠がはめ込まれているような構成であってもよい。
【００１６】
内壁部１９は、樹脂製の板材である。内壁部１９は、内壁部１９の左右の両端側のそれぞれにおいて、冷蔵室扉９の上下方向に渡って断熱箱体２の開口部側へ膨出する膨出部１９ａと、内壁部１９の左右の両端側に設けられた膨出部１９ａの間を接続する平板状に形成された平板部１９ｂとを有する。内壁部１９の左右の両端側に設けられた膨出部１９ａは、平板部１９ｂの左右の両端側から立ち上がるように折り曲げられており、断熱箱体２の開口部側へ延びるように形成されている第１側壁部１９ａ１を有する。平板部１９ｂの左及び右に形成された第１側壁部１９ａ１は、お互いに対向するように形成されている。また、内壁部１９の左右の両端側に設けられた膨出部１９ａのそれぞれは、第１側壁部１９ａ１の、平板部１９ｂとは反対側の端部から立ち上がるように折り曲げられ、外壁部１８と対向するように形成されている第２側壁部１９ａ２を有する。さらに、内壁部１９の左右の両端側に設けられた膨出部１９ａのそれぞれは、第２側壁部１９ａ２の、第１側壁部１９ａ１とは反対側の端部から立ち上がるように折り曲げられ、外壁部１８側に延びるように形成されている第３側壁部１９ａ３を有する。第３側壁部１９ａ３は、第１側壁部１９ａ１と対向するように形成されている。内壁部１９の周縁部１９ｃは、外壁部１８の周縁部１８ｃと接しており、内壁部１９と外壁部１８との間には、空間２１が形成されている。空間２１には、発泡ウレタンなどの発泡断熱材が充填されている。
【００１７】
図４は、本発明の実施の形態１に係る冷蔵庫の冷蔵室扉に用いられる補強板の正面図である。図５は、図４に示す補強板のＣ−Ｃ線断面図である。図３〜図５を参照して、補強板２０について説明する。補強板２０は、複数の曲げ加工が施されている板金であり、冷蔵室扉９の歪みを抑制することを目的として、例えば、両面テープを用いて内壁部１９に固定されている。補強板２０は、図３に示すように、平板状に形成されており一方の面が外壁部１８と対向し、他方の面が平板部１９ｂと対向している平坦部２０ａを有する。補強板２０の平坦部２０ａは、図３に示すように、内壁部１９の平板部１９ｂと接している。また、補強板２０は、図５に示すように、平坦部２０ａの左右の両端から立ち上がるように折り曲げられており、膨出部１９ａ内へ延びるように形成されている第１側板部２０ｂを有する。第１側板部２０ｂは、膨出部１９ａの第１側壁部１９ａ１に沿って、第２側壁部１９ａ２側に延びるように形成されている。第１側板部２０ｂは、冷蔵室扉９の上下方向に渡って形成されている。さらに、補強板２０は、第１側板部２０ｂの、平坦部２０ａとは反対側の端部から立ち上がり、膨出部１９ａ内に位置する第２側板部２０ｃを有する。第２側板部２０ｃは、少なくとも一部が第２側壁部１９ａ２と対向するように設けられている。第１側板部２０ｂに接続するそれぞれの第２側板部２０ｃは、互いに離れる方向に向かって延びるように形成されていると共に、冷蔵室扉９の上下方向に渡って形成されている。また、各第２側板部２０ｃは、図４及び図５に示すように、平板状に形成されている。冷蔵室扉９は、補強板２０の第２側板部２０ｃと、膨出部１９ａの第２側壁部１９ａ２との間が離間するように構成されている。
【００１８】
各第２側板部２０ｃには、図４に示すように、補強板２０を貫通する複数の孔部２５が、冷蔵室扉９の上下方向に渡って１列に形成されている。なお、孔部２５は、図４において、長軸が冷蔵室扉９の上下方向となる長孔として記載されているが、孔部２５は、貫通孔であればよく、例えば、丸孔、短軸が冷蔵室扉９の上下方向となる長孔、角孔、長角孔等、他の形状の孔であってもよい。また、孔部２５は、図４において各第２側板部２０ｃにおいて、冷蔵室扉９の上下方向に渡って１列に形成されている。しかし、孔部２５は、冷蔵室扉９の上下方向に渡って１列に形成されているものに限定するものではなく、孔部２５は、冷蔵室扉９の上下方向に渡って複数の列に形成されていてもよい。
【００１９】
図６は、図３に示す冷蔵室扉のＢ部の概略拡大図である。冷蔵室扉９は、箱形状の外壁部１８に断熱材が流し込まれ、断熱材が流し込まれた外壁部１８に、補強板２０が固定された内壁部１９が被せられ、外壁部１８と内壁部１９とが加圧されて一体化させられることで形成されている。このとき断熱材は、孔部２５を通過し、外壁部１８側から内壁部１９側に流れ込む。そして、断熱材は、孔部２５を通る矢印Ｆのように、膨出部１９ａが形成する空間２１ａ及び内壁部１９の第１側壁部１９ａ１と補強板２０の第１側板部２０ｂとの間の空間２１ｂにまでいきわたるように充填される。なお、空間２１ａは、第１側壁部１９ａ１と、第２側壁部１９ａ２と、第３側壁部１９ａ３とで囲まれている空間である。
【００２０】
図７は、冷蔵庫の扉を開放する際に、冷蔵室扉にかかる力の方向を示す図である。ここで、使用者が、冷蔵室扉９を開放する際に、冷蔵室扉９にかかる力について説明する。使用者が、冷蔵室扉９の下部に設けられたハンドル１６を引くことにより、冷蔵室扉９を開放することができる。このとき、冷蔵室扉９は、断熱箱体２のヒンジ１５と冷蔵室扉９の軸穴部２４とを嵌合することで形成された回転軸を起点とし回動する。そして、ハンドル１６には、使用者によって冷蔵室扉９を引く力Ｐがかかり、ハンドル１６は、冷蔵室扉９を開放する際に、最も力が加わる部分となる。引く力Ｐは、冷蔵室扉９の下部に設けられたハンドル１６の設置位置を考慮すると、人の手で冷蔵室扉９を開けようとした場合、ハンドル１６から冷蔵室扉９の回転軸方向の斜め上方へ力が加わることになる。ここで、図６に戻り、補強板２０は、引く力Ｐに対して、平坦部２０ａの左右の両端から立ち上がるように折り曲げられた第１側板部２０ｂと、第１側板部２０ｂの端部から立ち上がるように折り曲げられた第２側板部２０ｃとを有している。補強板２０が、膨出部１９ａに収まりよく収納された第１側板部２０ｂと第２側板部２０ｃとを有することで、冷蔵室扉９の奥行き方向に複数の折り曲げられた形状を有しており、この折り曲げられた形状を有することで、冷蔵室扉９の強度を向上させることができる。また、補強板２０は、第１側板部２０ｂと第２側板部２０ｃとを有することで、冷蔵室扉９を引く力Ｐに対する断面二次モーメントが大きくなるため曲げ剛性が高まり、冷蔵室扉９の強度を向上させることができる。
【００２１】
図８は、補強板を固定する力の方向を示した比較図である。図８の左図は、補強板２０の第２側板部２０ｃに孔部２５が形成されていない場合の構成を示す図である。図８の右図は、補強板２０の第２側板部２０ｃに孔部２５が形成されている構成を示す図である。図８の左図と右図は、補強板２０の第２側板部２０ｃに形成された孔部２５の有無による補強板２０を固定する力の方向を比較したものである。図８の空間２１、空間２１ａ、空間２１ｂには断熱材が充填されている。そして、図８で示す矢印は、断熱材から加わる圧力であり、補強板を固定する力である。図８の左図に示すように、第２側板部２０ｃに孔部２５が形成されていない場合は、補強板２０は、補強板２０の表面に対する力Ｐ１（圧力及び摩擦力）で抑えられて固定されている。これに対し、図８の右図に示すように、第２側板部２０ｃに孔部２５が形成されている場合は、補強板２０は、補強板２０の表面に対する力Ｐ１（圧力及び摩擦力）で抑えられて固定されていると共に、孔部２５の縁部に対する力Ｐ２（圧力及び摩擦力）で抑えられて固定されている。すなわち、第２側板部２０ｃに孔部２５が形成されている場合は、孔部２５の縁部に対する力Ｐ２（圧力及び摩擦力）が加わることになり、補強板２０を固定する力を増加させることができる。
【００２２】
以上のように、冷蔵庫１は、補強板２０が、膨出部１９ａに収まりよく収納された第１側板部２０ｂと第２側板部２０ｃとを有することで、冷蔵室扉９の奥行き方向に複数の折り曲げられた形状を有しており、この折り曲げられた形状を有することで、冷蔵室扉９の強度を向上させることができる。また、冷蔵庫１は、補強板２０が、第１側板部２０ｂと第２側板部２０ｃとを有することで、冷蔵室扉９を引く力Ｐに対する断面二次モーメントが大きくなるため曲げ剛性が高まり、冷蔵室扉９の強度を向上させることができる。そのため、冷蔵室扉９の断熱材を薄くしても扉の強度が低下しない冷蔵庫１を得ることができる。
【００２３】
また、冷蔵庫１は、第２側板部２０ｃに孔部２５が形成されていることで、補強板２０が、補強板２０の表面に対する力Ｐ１（圧力及び摩擦力）で抑えられて固定されていると共に、孔部２５の縁部に対する力Ｐ２（圧力及び摩擦力）で抑えられて固定されている。そのため、冷蔵室扉９は、孔部２５の縁部に対する力Ｐ２（圧力及び摩擦力）が加わることになり、補強板２０を固定する力を増加させることができる。その結果、冷蔵室扉９は、断熱材と補強板との剥離強度が増すことで組立品としての強度が向上する。そのため、冷蔵室扉９は、歪みを軽減することができ、冷蔵室扉９の断熱材を薄くしても扉の強度が低下しない冷蔵庫１を得ることができる。
【００２４】
また、冷蔵庫１は、第２側板部２０ｃに孔部２５が形成されていることで、断熱材を充填させる為の経路を確保することができ、補強板２０と内壁部１９との間に形成される空間２１ａ及び空間２１ｂに必要な断熱材を行き渡らせることができる。冷蔵庫１は、箱状の冷蔵室扉９の内部空間に断熱材を行き渡らせることができることで、断熱性能を高く保持することができると共に、冷蔵室扉９の歪みを軽減することができ、冷蔵室扉９の断熱材を薄くしても扉の強度を維持することができる。
【００２５】
また、冷蔵庫１は、冷蔵室扉９が、前記補強板の前記第２側板部と、前記膨出部の前記第２側壁部との間が離間するように構成されている。そのため、第１側板部２０ｂの長さを大きくする必要はなく、冷蔵室扉９の軽量化を図ることができると共に、補強板２０にかかる材料費を軽減することができる。
【００２６】
実施の形態２．
図９は、本発明の実施の形態２に係る冷蔵庫の冷蔵室扉の部分断面図である。図１〜図８の冷蔵庫１と同一の構成を有する部位には同一の符号を付してその説明を省略する。本発明の実施の形態２に係る冷蔵庫は、実施の形態１に係る冷蔵庫１の補強板の構造だけが異なるものである。
【００２７】
本発明の実施の形態２に係る冷蔵庫の補強板１２０は、複数の曲げ加工が施されている板金であり、冷蔵室扉９の歪みを抑制することを目的として、例えば、両面テープを用いて内壁部１９に固定されている。補強板１２０は、平板状に形成されており一方の面が外壁部１８と対向し、他方の面が平板部１９ｂと対向している平坦部２０ａを有する。補強板１２０の平坦部２０ａは、内壁部１９の平板部１９ｂと接している。また、補強板１２０は、平坦部２０ａの左右の両端から立ち上がるように折り曲げられており、膨出部１９ａ内へ延びるように形成されている第１側板部２０ｂを有する。第１側板部２０ｂは、膨出部１９ａの第１側壁部１９ａ１に沿って、第２側壁部１９ａ２側に延びるように形成されている。第１側板部２０ｂは、冷蔵室扉９の上下方向に渡って形成されている。さらに、補強板１２０は、第１側板部２０ｂの、平坦部２０ａとは反対側の端部から立ち上がり、膨出部１９ａ内に位置する第２側板部２０ｃを有する。第２側板部２０ｃは、少なくとも一部が第２側壁部１９ａ２と対向するように設けられている。第１側板部２０ｂに接続するそれぞれの第２側板部２０ｃは、互いに離れる方向に向かって延びるように形成されていると共に、冷蔵室扉９の上下方向に渡って形成されている。また、各第２側板部２０ｃは、平板状に形成されている。冷蔵室扉９は、補強板１２０の第２側板部２０ｃと、膨出部１９ａの第２側壁部１９ａ２との間が離間するように構成されている。各第２側板部２０ｃには、補強板１２０を貫通する複数の孔部２５が形成されている。
【００２８】
補強板１２０は、図９に示すように、第２側板部２０ｃの、第１側板部２０ｂとは反対側の端部から立ち上がるように折り曲げられ、第１側板部２０ｂと対向して外壁部１８側に延びるように形成されている前方側縁部２０ｄを更に有する。前方側縁部２０ｄは、第２側板部２０ｃに接続され、冷蔵室扉９の上下方向に渡って形成されている。
【００２９】
以上のように、本発明の実施の形態２に係る冷蔵庫１は、補強板１２０が、平坦部２０ａの左右の両端から立ち上がるように折り曲げられた第１側板部２０ｂと、第１側板部２０ｂの端部から立ち上がるように折り曲げられた第２側板部２０ｃと、各第２側板部２０ｃの端部から立ち上がるように折り曲げられた前方側縁部２０ｄとを有している。冷蔵庫１は、補強板１２０が、前方側縁部２０ｄをさらに有することで、さらに折り曲げられた形状を有しており、この折り曲げられた形状を有することで、冷蔵室扉９の強度を向上させることができる。また、冷蔵室扉９を引く力Ｐに対する断面二次モーメントが大きくなるため曲げ剛性がさらに高まり、冷蔵室扉９の強度を向上させることができる。
【００３０】
実施の形態２に係る冷蔵庫１は、補強板１２０が、前方側縁部２０ｄをさらに有することで、補強板１２０の位置を断熱材で固定する力もさらに増加している。その結果、冷蔵室扉９は、断熱材と補強板との剥離強度が増すことで組立品としての強度が向上する。そのため、冷蔵室扉９は、歪みを軽減することができ、冷蔵室扉９の断熱材を薄くしても扉の強度が低下しない冷蔵庫１を得ることができる。
【００３１】
実施の形態３．
図１０は、本発明の実施の形態３に係る冷蔵庫の冷蔵室扉の部分断面図である。図１〜図９の冷蔵庫１と同一の構成を有する部位には同一の符号を付してその説明を省略する。本発明の実施の形態３に係る冷蔵庫は、実施の形態１に係る冷蔵庫１の補強板の構造だけが異なるものである。
【００３２】
本発明の実施の形態３に係る冷蔵庫の補強板２２０は、複数の曲げ加工が施されている板金であり、冷蔵室扉９の歪みを抑制することを目的として、例えば、両面テープを用いて内壁部１９に固定されている。補強板２２０は、平板状に形成されており一方の面が外壁部１８と対向し、他方の面が平板部１９ｂと対向している平坦部２０ａを有する。補強板２２０の平坦部２０ａは、内壁部１９の平板部１９ｂと接している。また、補強板２２０は、平坦部２０ａの左右の両端から立ち上がるように折り曲げられており、膨出部１９ａ内へ延びるように形成されている第１側板部２０ｂを有する。第１側板部２０ｂは、膨出部１９ａの第１側壁部１９ａ１に沿って、第２側壁部１９ａ２側に延びるように形成されている。第１側板部２０ｂは、冷蔵室扉９の上下方向に渡って形成されている。さらに、補強板２２０は、第１側板部２０ｂの、平坦部２０ａとは反対側の端部から立ち上がり、膨出部１９ａ内に位置する第２側板部２０ｃを有する。第２側板部２０ｃは、少なくとも一部が第２側壁部１９ａ２と対向するように設けられている。第１側板部２０ｂに接続するそれぞれの第２側板部１２０ｃは、互いに離れる方向に向かって延びるように形成されていると共に、冷蔵室扉９の上下方向に渡って形成されている。冷蔵室扉９は、補強板２２０の第２側板部１２０ｃと、膨出部１９ａの第２側壁部１９ａ２との間が離間するように構成されている。
【００３３】
実施の形態１に係る冷蔵庫１の補強板２０の第２側板部２０ｃは、平板状に形成されていたが、実施の形態３に係る冷蔵庫１の補強板２２０は、第２側板部１２０ｃが、外壁部１８側に突出するように折り曲げられて山折り形状に形成されている。各第２側板部１２０ｃには、補強板２２０を貫通する複数の孔部２５が形成されている。
【００３４】
以上のように、本発明の実施の形態３に係る冷蔵庫１は、補強板２２０が、平坦部２０ａの左右の両端から立ち上がるように折り曲げられた第１側板部２０ｂと、第１側板部２０ｂの端部から立ち上がるように折り曲げられた第２側板部１２０ｃと有している。また、補強板２２０は、第２側板部１２０ｃが外壁部１８側に突出するように山折り形状に形成されている。そのため、補強板２２０は、さらに折り曲げられた形状を有しており、この折り曲げられた形状を有することで、冷蔵室扉９の強度を向上させることができる。また、冷蔵庫１は、冷蔵室扉９を引く力Ｐに対する断面二次モーメントが大きくなるため曲げ剛性がさらに高まり、冷蔵室扉９の強度を向上させることができる。そのため、扉の断熱材を薄くしても扉の強度が低下しない冷蔵庫を得ることができる。
【００３５】
また、実施の形態３に係る冷蔵庫１は、補強板２２０が、山折り形状に形成された第２側板部１２０ｃを有することで、補強板２２０の位置を断熱材で固定する力もさらに増加している。その結果、冷蔵室扉９は、断熱材と補強板との剥離強度が増すことで組立品としての強度が向上する。そのため、冷蔵室扉９は、歪みを軽減することができ、冷蔵室扉９の断熱材を薄くしても扉の強度が低下しない冷蔵庫１を得ることができる。
【００３６】
実施の形態４．
図１１は、本発明の実施の形態４に係る冷蔵庫の冷蔵室扉の部分断面図である。図１〜図１０の冷蔵庫１と同一の構成を有する部位には同一の符号を付してその説明を省略する。本発明の実施の形態４に係る冷蔵庫は、実施の形態１に係る冷蔵庫１の補強板の構造が異なると共に、内壁部に補強板を固定する溝部分を設けたものである。
【００３７】
内壁部１９は、内壁部１９の両端側の膨出部１９ａと周縁部１９ｃとの間に溝部１９ｄを有している。溝部１９ｄは、開口が外壁部１８側に向いており、冷蔵室扉９の上下方向に渡って断熱箱体２の開口部側へ凹むように形成されている。溝部１９ｄは、膨出部１９ａの第３側壁部１９ａ３と接続するように形成されている。
【００３８】
本発明の実施の形態４に係る冷蔵庫の補強板３２０は、複数の曲げ加工が施されている板金であり、冷蔵室扉９の歪みを抑制することを目的として、内壁部１９に固定されている。補強板３２０は、平板状に形成されており一方の面が外壁部１８と対向し、他方の面が平板部１９ｂと対向している平坦部２０ａを有する。補強板３２０の平坦部２０ａは、内壁部１９の平板部１９ｂと接している。また、補強板３２０は、平坦部２０ａの左右の両端から立ち上がるように折り曲げられており、膨出部１９ａ内へ延びるように形成されている第１側板部２０ｂを有する。第１側板部２０ｂは、膨出部１９ａの第１側壁部１９ａ１に沿って、第２側壁部１９ａ２側に延びるように形成されている。第１側板部２０ｂは、冷蔵室扉９の上下方向に渡って形成されている。さらに、補強板３２０は、第１側板部２０ｂの、平坦部２０ａとは反対側の端部から立ち上がり、膨出部１９ａ内に位置する第２側板部２０ｃを有する。第２側板部２０ｃは、少なくとも一部が第２側壁部１９ａ２と対向するように設けられている。第１側板部２０ｂに接続するそれぞれの第２側板部２０ｃは、互いに離れる方向に向かって延びるように形成されていると共に、冷蔵室扉９の上下方向に渡って形成されている。また、各第２側板部２０ｃは、平板状に形成されている。冷蔵室扉９は、補強板３２０の第２側板部２０ｃと、膨出部１９ａの第２側壁部１９ａ２との間が離間するように構成されている。各第２側板部２０ｃには、補強板３２０を貫通する複数の孔部２５が形成されている。
【００３９】
補強板３２０は、図１１に示すように、第２側板部２０ｃの、第１側板部２０ｂとは反対側の端部から立ち上がるように折り曲げられ、断熱箱体２の開口部側に延びるように形成されている後方側縁部２０ｅを更に有する。後方側縁部２０ｅは、第２側板部２０ｃに接続され、冷蔵室扉９の上下方向に渡って形成されている。後方側縁部２０ｅの先端部２０ｅ１が溝部１９ｄに挿入されることにより、補強板３２０は、内壁部１９に固定される。
【００４０】
以上のように、本発明の実施の形態４に係る冷蔵庫１は、補強板３２０が、引く力Ｐに対して、平坦部２０ａの左右の両端から立ち上がるように折り曲げられた第１側板部２０ｂと、第１側板部２０ｂの端部から立ち上がるように折り曲げられた第２側板部２０ｃと、各第２側板部２０ｃから立ち上がるように折り曲げられた後方側縁部２０ｅとを有している。冷蔵庫１は、補強板３２０が、後方側縁部２０ｅをさらに有することで、さらに折り曲げられた形状を有しており、この折り曲げられた形状を有することで、冷蔵室扉９の強度を向上させることができる。また、冷蔵室扉９を引く力Ｐに対する断面二次モーメントが大きくなるため曲げ剛性がさらに高まり、冷蔵室扉９の強度を向上させることができる。
【００４１】
また、実施の形態４に係る冷蔵庫１は、補強板３２０が、後方側縁部２０ｅをさらに有することで、補強板３２０の位置を断熱材で固定する力もさらに増加している。その結果、冷蔵室扉９は、断熱材と補強板との剥離強度が増すことで組立品としての強度が向上する。そのため、冷蔵室扉９は、歪みを軽減することができ、冷蔵室扉９の断熱材を薄くしても扉の強度が低下しない冷蔵庫１を得ることができる。
【００４２】
また、実施の形態４に係る冷蔵庫１は、内壁部１９に溝部１９ｄを有し、先端部２０ｅ１を溝部１９ｄに挿入することで補強板２０を内壁部１９に固定するため、補強板２０と内壁部１９とを固定する両面テープの使用を削減することができる。そのため、冷蔵庫１は、冷蔵室扉９の製造に必要な材料費を削減することができる。
【００４３】
また、実施の形態４に係る冷蔵庫１は、内壁部１９に溝部１９ｄを有し、先端部２０ｅ１を溝部１９ｄに挿入することで補強板２０を内壁部１９に固定するため、補強板２０と内壁部１９との組立時の位置決めが容易となる。そのため、冷蔵庫１は、補強板２０と内壁部１９との組立時の作業者の作業性の向上を図ることができる。
【００４４】
なお、本発明の実施の形態は、上記実施の形態１〜４に限定されず、種々の変更を加えることができる。例えば、上記の実施の形態１〜４では、冷蔵室扉９について説明したが、この構造は、冷凍室扉、野菜室扉等の各貯蔵室の扉に適用することができる。また、補強板２０と内壁部１９との固定について両面テープを用いた固定について説明したが、両面テープの代わりに、例えば、熱可塑性接着剤（ホットメルト）を使用するなど他の接着手段を用いてもよい。また、本発明を上記の実施の形態１〜４に分けて説明したが、本発明はこれらの実施の形態１〜４を直接組み合わせてもよい。
【符号の説明】
【００４５】
１  冷蔵庫、２  断熱箱体、３  冷蔵室、４  製氷室、５  切替室、６  冷凍室、７  野菜室、８  冷蔵室扉、９  冷蔵室扉、１０  製氷室扉、１１  切替室扉、１２  冷凍室扉、１３  野菜室扉、１４  ヒンジ、１５  ヒンジ、１６  ハンドル、１８  外壁部、１８ａ  強化ガラス板、１８ｂ  外枠材、１８ｃ  周縁部、１９  内壁部、１９ａ  膨出部、１９ａ１  第１側壁部、１９ａ２  第２側壁部、１９ａ３  第３側壁部、１９ｂ  平板部、１９ｃ  周縁部、１９ｄ  溝部、２０  補強板、２０ａ  平坦部、２０ｂ  第１側板部、２０ｃ  第２側板部、２０ｄ  前方側縁部、２０ｅ  後方側縁部、２０ｅ１  先端部、２１  空間、２１ａ  空間、２１ｂ  空間、２４  軸穴部、２５  孔部、１２０  補強板、１２０ｃ  第２側板部、２２０  補強板、３２０  補強板。
【図１】
0006719646.tif 000002
【図２】
0006719646.tif 000003
【図３】
0006719646.tif 000004
【図４】
0006719646.tif 000005
【図５】
0006719646.tif 000006
【図６】
0006719646.tif 000007
【図７】
0006719646.tif 000008
【図８】
0006719646.tif 000009
【図９】
0006719646.tif 000010
【図１０】
0006719646.tif 000011
【図１１】
0006719646.tif 000012